(57)【特許請求の範囲】
【請求項１】
カードで商品を販売した時の販売データを販売データ記憶手段(３)に記憶するカード対応自動販売機(100)において、挿入されたカードのＩＤを読み込むカードリーダ(１)と、商品の販売制御を行う販売制御手段(２)と、販売データ記憶手段(３)における記憶量を検出する手段(４)と、挿入されたカードのＩＤと同じＩＤが販売データ記憶手段(３)に記憶されているかを検索する同一ＩＤ検索手段(５)と、販売データ記憶手段(３)に記憶の任意のＩＤの販売データに対し、今回の販売データを累積加算して記憶させるデータ累積加算手段(６)とを備え、前記記憶量が販売データ記憶手段(３)のＭＡＸになるまでは、カードで商品が販売される毎にその販売データをカードＩＤと共に販売データ記憶手段(３)に記憶するが、その販売データ記憶手段(３)の記憶量がＭＡＸに達した以降は、カードＩＤと同じＩＤが販売データ記憶手段(３)に記憶されている時のみ、販売を許可して、今回の販売データを、既存の同一ＩＤの販売データに累積加算することを特徴とするカード対応自動販売機。
【請求項２】
カードで商品を販売した時の販売データを販売データ記憶手段(23)に記憶するカード対応自動販売機(200)において、挿入されたカードのＩＤを読み込むカードリーダ(21)と、商品の販売制御を行う販売制御手段(22)と、販売データ記憶手段(23)における記憶量を検出する手段(26)と、挿入されたカードのＩＤと同じＩＤが販売データ記憶手段(23)に記憶されているかを検索する同一ＩＤ検索手段(24)と、販売データ記憶手段(23)に記憶の任意のＩＤの販売データに対し、今回の販売データを累積加算して記憶させるデータ累積加算手段(25)とを備え、挿入されたカードのＩＤと同じＩＤが販売データ記憶手段(23)に記憶されている時は、販売を許可して今回の販売データを既存のＩＤの販売データに累積加算し、一方、同じＩＤが記憶されていない時は、販売データ記憶手段(23)の記憶量がＭＡＸに達しているかを検出し、ＭＡＸに達してしない時は、販売を許可して今回の販売データをカードＩＤと共に販売データ記憶手段(23)に記憶し、ＭＡＸに達している時は当該カードによる販売を禁止することを特徴とするカード対応自動販売機。
【発明の詳細な説明】
【０００１】
【発明の属する技術分野】
本発明は、カードにより商品を販売するカード対応自動販売機に関する。
【０００２】
【従来の技術】
従来は、カードにより販売がある毎に、販売本数や販売金額等の販売データを作成して内部のメモリに記憶しており、多数の販売データの記憶により、内部メモリの記憶エリアがなくなると、販売を一旦禁止した上で、記憶データをホスト装置へ転送し、これにより、記憶エリアに空きが生じると販売待機状態に復帰する。
【０００３】
【発明が解決しようとする課題】
しかしながら、メンテナンスの不備、あるいはなんらかの障害により対ホストとの交信が停止した場合や、自動販売機の設置台数および販売数ともに多い環境での運用では、各自動販売機のホスト装置へのデータ伝送効率が低下した場合には、長時間にわたって記憶エリアに空きの無い状態が継続するようになり、その間の販売チャンスを逃してしまうといった課題があった。
【０００４】
本発明は、上述した課題を解決するためになされたものであり、メモリを増設することなく、より多くの販売データの記憶を可能にして販売禁止状態を回避できるカード対応自動販売機を提供することを目的とする。
【０００５】
【課題を解決するための手段】
本発明は、カードで商品を販売するカード対応自動販売機において、カードにより商品を販売した時の販売データをカードＩＤと共に販売データ記憶手段に記憶する際、そのカードＩＤと同じＩＤが記憶されている場合には、その既存ＩＤの販売データに今回の販売データを積算加算することにより、販売データ記憶手段への記憶量を低減することを特徴とする。
【０００６】
本第１発明は、請求項２（図１対応）にあるように、
カードで商品を販売した時の販売データを販売データ記憶手段（３）に記憶するカード対応自動販売機（１００）において、
挿入されたカードのＩＤを読み込むカードリーダ（１）と、
商品の販売制御を行う販売制御手段（２）と、
販売データ記憶手段（３）における記憶量を検出する手段（４）と、
挿入されたカードのＩＤと同じＩＤが販売データ記憶手段（３）に記憶されているかを検索する同一ＩＤ検索手段（５）と、
販売データ記憶手段（３）に記憶の任意のＩＤの販売データに対し、今回の販売データを累積加算して記憶させるデータ累積加算手段（６）とを備え、
前記記憶量が販売データ記憶手段（３）のＭＡＸになるまでは、カードで商品が販売される毎にその販売データをカードＩＤと共に販売データ記憶手段（３）に記憶するが、その販売データ記憶手段（３）の記憶量がＭＡＸに達した以降は、カードＩＤと同じＩＤが販売データ記憶手段（３）に記憶されている時のみ、販売を許可して、今回の販売データを、既存の同一ＩＤの販売データに累積加算することを特徴とする。
【０００７】
本第２発明は、請求項３（図２対応）にあるように、
カードで商品を販売した時の販売データを販売データ記憶手段（２３）に記憶するカード対応自動販売機（２００）において、
挿入されたカードのＩＤを読み込むカードリーダ（２１）と、
商品の販売制御を行う販売制御手段（２２）と、
販売データ記憶手段（２３）における記憶量を検出する手段（２６）と、
挿入されたカードのＩＤと同じＩＤが販売データ記憶手段（２３）に記憶されているかを検索する同一ＩＤ検索手段（２４）と、
販売データ記憶手段（２３）に記憶の任意のＩＤの販売データに対し、今回の販売データを累積加算して記憶させるデータ累積加算手段（２５）とを備え、
挿入されたカードのＩＤと同じＩＤが販売データ記憶手段（２３）に記憶されている時は、販売を許可して今回の販売データを既存のＩＤの販売データに累積加算し、
一方、同じＩＤが記憶されていない時は、販売データ記憶手段（２３）の記憶量がＭＡＸに達しているかを検出し、ＭＡＸに達してしない時は、販売を許可して今回の販売データをカードＩＤと共に販売データ記憶手段（２３）に記憶し、ＭＡＸに達している時は当該カードによる販売を禁止することを特徴とする。
【０００８】
本第３発明(図３対応)は、カードで商品を販売した時の販売データを販売データ記憶手段(33)に記憶するカード対応自動販売機(300)において、挿入されたカードのＩＤを読み込むカードリーダ(31)と、商品の販売制御を行う販売制御手段(32)と、販売データ記憶手段(33)に使用可能なＩＤを予め登録しておくためのＩＤ登録手段(34)と、挿入されたカードのＩＤと同一のＩＤが販売データ記憶手段(33)に登録されているかを検索する同一ＩＤ検索手段(35)と、前記販売データ記憶手段(33)に記憶の任意のＩＤの販売データに対し、販売データを累積加算して記憶させるデータ累積加算手段(36)とを備え、同一ＩＤ検索手段(35)の検索でカードＩＤと同一ＩＤが登録されている場合は、既存の同一ＩＤの販売データに今回の販売データを累積加算し、同一のＩＤが登録されていない場合は、販売制御手段(22)に当該カードによる販売を禁止することを特徴とする。
【０００９】
カードにより商品を販売した時、その時の販売データはカードＩＤと共に販売データ記憶手段に記憶されるが、その販売データ記憶手段に今回のカードＩＤと同じＩＤが既に記憶されている場合、つまり、過去に同じカードで商品の購入歴がある時は、その既存ＩＤの販売データに今回の販売データが積算加算される。この積算加算の処理では単なるデータの書き替えなので、その販売データ記憶のためのメモリ数は変化しないため、販売データ記憶手段への記憶量の増大が抑えられ、これにより、記憶エリアの不足による販売停止をなくせる。
【００１０】
第１発明のカード対応自動販売機（１００）においては、販売データ記憶手段（３）の記憶量がＭＡＸになるまでは、通常の動作、つまり、同一のＩＤ（同一人のカード）による商品販売であっても、販売毎に、販売データと共にＩＤが記憶されるが、販売データ記憶手段（３）の記憶量がＭＡＸになれば、新たにデータを記憶するエリアがないため、購入歴のあるカードに対してのみ販売が許可され、その時の販売データは既存の同一ＩＤの販売データに積算加算され、購入歴のないカード、つまり新規のカードは、販売データの新規記憶が必要となるために販売が禁止される。
【００１１】
第２発明のカード対応自動販売機(200)においては、まず、挿入されたカードに購入歴があるかを判定し、購入歴がある場合は、販売を許可して販売データの積算加算を行い、一方、新規のカード利用の場合は、販売データ記憶手段(23)の記憶量がＭＡＸになっているか否かを検出し、ＭＡＸに達してしない場合は、販売を許可して販売データをカードＩＤと共に新規に記憶し、ＭＡＸに達している場合は、記憶エリアがないため販売は禁止される。
【００１２】
第３発明のカード対応自動販売機（３００）においては、利用可能なカードのＩＤを予め登録されているため、登録されたカードのみが利用できる。そして、販売データは、各ＩＤ別に積算加算されるため、販売データ記憶のためのメモリ数は変化しない。
【００１３】
【発明の実施の形態】
図４は第１発明および第２発明に共通のカード対応自動販売機１００，２００の１実施形態を示した制御ブロック図である。
５１は、挿入されたカードのＩＤおよび入金情報を読み込み、商品販売後に残高情報を書き込むカードリーダ／ライタである。このカードリーダ／ライタ５１よりの情報はインタフェイス５２を通じてＣＰＵ５３に取り込まれる。５４は、商品を選択する商品選択釦であり、５５は、商品価格の設定や、商品選択釦５４と商品とを対応付けるためのキーボードである。５６は、ＣＰＵ５３が実行する制御プログラムを格納するＲＯＭであり、５７は、商品価格等の設定データを記憶するＲＡＭである。
【００１４】
ＣＰＵ５３内には、ＩＤ（０１，０２…）およびこれに対応する販売本数（０５，０１…）および販売価格（６６０，１１０…）の販売データを記憶する販売データ記憶メモリ５３Ａ、カードリーダ／ライタ５１より送出されたカードＩＤと同じＩＤが販売データ記憶メモリ５３Ａに記憶されているかを検索する同一ＩＤ検索手段５３Ｃ、同一のＩＤが記憶されている場合には、今回の販売データを既存の同一ＩＤの販売データに累積加算して記憶させる累積加算手段５３Ｄ、販売データ記憶メモリ５３Ａの記憶エリアにどの程度のデータが記憶されているかを検出する記憶量検出手段５３Ｅが含まれる。
【００１５】
５８は、販売のために商品を搬出する商品搬出機構であり、５９は、カードリーダ／ライタ５１に挿入されたカードで販売が禁止された時に点灯するカード受付禁止表示灯である。６０は、商品搬出機構５８およびカード受付禁止表示灯５９に対するインタフェイスである。６１は、記憶量検出手段３Ｅの検出により、販売データ記憶メモリ５３Ａにおける記憶量がＭＡＸになり、記憶エリアがなくなれば、その販売データをホスト局に送信するための交信装置である。
【００１６】
最初に本第１発明のカード対応自動販売機１００の制御動作を図５のフローチャートに従って説明する。
ステップＳ１１では、ホスト局より販売に必要な種々の設定データがダウンロードされ、その設定データはＲＡＭ５７に記憶される。ステップＳ１２にてカードがカードリーダ／ライタ５１に挿入されると、そのカードＩＤがステップＳ１３にて読み込まれる。
【００１７】
ステップＳ１４では、販売データ記憶メモリ５３Ａの記憶量がＭＡＸになったかが判定される。ＭＡＸでない（記憶エリアが残っている）場合は、ステップＳ１５にて無条件で販売が許可され、販売後はステップＳ１６にて、この時の販売データは当該カードＩＤと共に販売データ記憶メモリ５３Ａに記憶され、ステップＳ１７にてカードが返却される。尚、本カードはＩＤにより商品の購入状況を管理するものであるが、カードの入金情報に従って商品販売を行うものであれば、カード返却時間に残高情報を書き込む。
【００１８】
一方、販売データ記憶メモリ５３Ａでの記憶量がＭＡＸに達している（記憶エリアが残っていない）場合は、ステップＳ１４からステップＳ１８に進み、当該カードのＩＤと同じＩＤが販売データ記憶メモリ３Ａに記憶されているかが判定される。記憶されている（当該カードで購入歴がある）場合は、ステップＳ１９にて販売が許可され、販売後、ステップＳ２０にて、今回の販売データが既存の同一ＩＤの販売データに累積加算され、ステップＳ１７に進む。
【００１９】
例えば、カードＩＤを“０２”とし、今回、価格１１０円の商品を一つ購入した時は、ＩＤ“０２”の販売データ“０１（本数）  ０１１０（販売価格）”が“０２  ０２２０”のごとくと累積加算される。このように、単に数値の書き替えであるため（データのバイト数に変化なし）、データ記憶のためのメモリは変化しない。
【００２０】
一方、挿入されたカードのＩＤと同じＩＤが記憶されていない時は、本モード（記憶容量がＭＡＸ）では新たに販売データを記憶させるエリアがないため、ステップＳ２１にてカード受付禁止表示灯５９が点灯され、販売されることなく、ステップＳ１７でカードが返却される。
【００２１】
販売データ記憶メモリ５３Ａの記憶量がＭＡＸになった時には、データ送信のサブルーチンに進み、ホスト局と交信可能であれば、販売データ記憶メモリ５３Ａに記憶の販売データをホスト局に送信し、販売データ記憶メモリ５３Ａをクリアしてから元のフローにリターンする。
【００２２】
次に、本第２発明のカード対応自動販売機２００の制御動作を図６のフローチャートに基づき説明する。
ステップＳ３１にて、前述したダウンロードデータが記憶され、ステップＳ３２、Ｓ３３にてカードＩＤが読み込まれると、次のステップＳ３４にて、当該カードのＩＤと同じＩＤが販売データ記憶メモリ５３Ａに記憶されているかが判定される。同一のＩＤが記憶されている（購入歴がある）場合、ステップＳ３５にて、販売が許可され、販売後、ステップＳ３６にて、既存ＩＤの販売データに今回の販売データが累積加算され、そしてステップＳ４１にてカードが返却される。
【００２３】
一方、カードＩＤが販売データ記憶メモリ５３Ａに記憶されていない（新規のカード利用）場合は、ステップＳ３４からステップＳ３７に進み、ここで販売データ記憶メモリ５３Ａの記憶量がＭＡＸになっているかが判定される。
【００２４】
ＭＡＸでない（新規の販売データを記憶するエリアが残っている）場合は、ステップＳ３８にて販売が許可され、ステップＳ３９にて、今回の販売データがカードＩＤと共に販売データ記憶メモリ５３Ａに記憶され、ステップＳ４１に進む。一方、販売データ記憶メモリ５３Ａの記憶量がＭＡＸの時は、販売できないため、ステップＳ４０にてカード受付禁止表示灯が点灯され、ステップＳ４１でカードが返却される。記憶量がＭＡＸになればホスト局へ販売データを送信する。
【００２５】
図７は、本第３発明のカード対応自動販売機３００の１実施形態を示した制御ブロック図である。この図７においては、記憶量検出手段５３Ｅに替えてタイマー５３Ｆを備える。このカード対応自動販売機３０の制御動作を図８のフローチャートに従って説明する。
【００２６】
ステップＳ５１において、キーボード５５により、販売データ記憶メモリ５３Ａに予め利用可能なカードのＩＤを登録する。ステップＳ５２では販売制御に必要な設定データがホスト局からダウンロードされる。前述のＩＤ登録をダウンロードデータとして記憶させてもよい。ステップＳ５３でカードがカードリーダ／ライタ５１に挿入されると、ステップＳ５４にてカードＩＤが読み込まれる。
【００２７】
ステップＳ５５では、そのカードＩＤが販売データ記憶メモリ５３Ａに登録されたものであるかが判定される。登録されたものであれば、ステップＳ５６にて販売が許可され、販売後、ステップＳ５７で、登録済みのＩＤの販売データに今回の販売データが累積加算される。そして、ステップＳ５９にてカードが返却される。
【００２８】
一方、カードＩＤが登録されたものでないときは、ステップＳ５５からステップＳ５８に進み、カード受付禁止表示灯５９が点灯され、ステップＳ５９でカードが返却される。
【００２９】
以上の制御において、タイマー５３Ｆが一定時間を計時する毎に図５に示したデータ送信ルーチンに進み、ホスト局へデータを送信する。
【００３０】
本制御では予め使用可能なＩＤに対して販売データの記憶エリアを持っているため、つまり、新規の記憶はないため、全部売データの記憶に必要なエリアは一定であり、従って既述の記憶量検出手段５３Ｅは不要である。
【００３１】
【発明の効果】
本発明のカード対応自動販売機は、カードにより商品を販売した時、過去にそのカードによる購入歴があれば、過去の販売データに今回の今回の販売データを積算加算するため、販売データの増加が抑えられ、記憶エリアの不足による販売停止をなくせる。
第１発明のカード対応自動販売機では、通常の制御（各販売毎に販売データを作成）で動作するが、販売データ記憶手段（３）に記憶エリアがなくなっても、過去に購入歴のあるカードに対しては販売データを累積加算することにより、新たに記憶エリアを必要とすることなく、カード利用を許可するものであり、この制御によれば、販売データ記憶手段（３）の記憶量がＭＡＸになる迄は、同一カードによる販売であっても個別に記録されるため、各販売毎の詳細なデータ（販売本数、販売金額、販売日時等）を収集できる。
第２発明のカード対応自動販売機は、挿入されたカードに購入歴があるかを判定し、購入歴がある場合は、販売を許可して販売データの積算加算を行い、一方、新規のカード利用の場合は、販売データ記憶手段（２３）の記憶量があるかを検出し、記憶エリアがあるは販売を許可して新規に販売データを記憶するが、記憶エリアがない場合は販売を禁止するものであり、この制御によれば、同一カードに対しては累積加算により一つの販売データしか作成しないため、より多くの販売データを記憶でき、つまり、より多くのカード利用を可能にする。
第３発明のカード対応自動販売機においては、登録されたカードのみ販売を許可し、各販売データを、各ＩＤ別に積算加算するため、販売データ記憶のためのメモリ容量は不変のため、ＩＤの登録数に応じて販売データ記憶手段（３３）の所要メモリ容量を決めることができ、又、販売データ記憶手段における記憶量を検出するための手段も不要である。
【図面の簡単な説明】
【図１】本第１発明のカード対応自動販売機のクレーム対応図
【図２】本第２発明のカード対応自動販売機のクレーム対応図
【図３】本第３発明のカード対応自動販売機のクレーム対応図
【図４】本第１発明および第２発明に共通の一形態を示した制御ブロック図
【図５】本第１発明の制御動作を示すフローチャート
【図６】本第２発明の制御動作を示すフローチャート
【図７】本第３発明の一形態を示した制御ブロック図
【図８】本第３発明の制御動作を示すフローチャート
【符号の説明】
５１  カードリーダ／ライタ
５２  インタフェイス
５３  ＣＰＵ
５３Ａ  販売データ記憶メモリ
５３Ｃ  同一ＩＤ検索手段
５３Ｄ  累積加算手段
５３Ｅ  記憶量検出手段
５３Ｆ  タイマー
５４  商品選択釦
５５  キーボード
５６  ＲＯＭ
５７  ＲＡＭ
５８  商品搬出機構
５９  カード受付禁止表示灯
６０  インタフェイス
【図１】
0003632275.tif 000002
【図２】
0003632275.tif 000003
【図３】
0003632275.tif 000004
【図４】
0003632275.tif 000005
【図５】
0003632275.tif 000006
【図６】
0003632275.tif 000007
【図７】
0003632275.tif 000008
【図８】
0003632275.tif 000009